(57)【要約】【課題】切替室の温度設定が変更された場合に設定温度に到達するまでに必要な時間をユーザに通知可能な冷蔵庫、及びこの冷蔵庫を用いた調理システムを提供する。【解決手段】ユーザが切替室の温度帯の設定を変更するための操作を行なうと（ステップＳ１：「ＹＥＳ」）、制御装置は、現在の切替室内の温度及び設定変更後の目標温度とに基づいて目標温度に到達するまでに要する時間を推定し（ステップＳ２〜Ｓ７）、この推定到達時間を表示装置に表示させると共にスピーカを介して音声でユーザに通知する（ステップＳ８）。【選択図】図１
2007139270.tif 000002
【特許請求の範囲】
【請求項１】
室内の温度帯の設定を切替え可能な切替室を有する冷蔵庫において、
前記切替室の温度を検知する温度センサを備え、
前記切替室の設定温度が変更されると、前記温度センサによって検知された検知温度と変更後の設定温度とに基づいて、前記切替室の温度が当該設定温度に到達するまでに要する到達時間を推定する推定手段と、
前記到達時間をユーザに通知するための通知手段とを備えることを特徴とする冷蔵庫。
【請求項２】
前記推定手段は、前記切替室の設定温度が変更されると、前記温度センサによって検知された検知温度と前記変更後の設定温度とコンプレッサの運転状況とに基づいて、前記到達時間を推定することを特徴とする請求項１記載の冷蔵庫。
【請求項３】
前記推定手段は、前記到達時間に基づいて前記設定温度の変更時点から所定時間が経過する毎の前記切替室の温度を推定し、この推定した温度と前記温度センサによって前記所定時間毎に検知される前記切替室の温度との差が所定値以上の場合には前記到達時間を補正することを特徴とする請求項１又は２記載の冷蔵庫。
【請求項４】
前記通知手段は、前記切替室の温度が変更後の設定温度に到達すると、到達した旨をユーザに通知することを特徴とする請求項１ないし３のいずれかに記載の冷蔵庫。
【請求項５】
前記切替室の温度設定を変更するための外部操作端末と有線又は無線により通信するための通信手段を備え、
前記外部操作端末によって前記切替室の設定温度が変更された時、
前記通知手段は、前記通信手段を介して前記到達時間を示すデータを前記外部操作端末へ送信することを特徴とする請求項１ないし４のいずれかに記載の冷蔵庫。
【請求項６】
少なくとも請求項５記載の冷蔵庫及び外部操作端末を備え、
前記外部操作端末は、調理手順を示すレシピ情報を外部より取得可能であるか、又は前記レシピ情報を保持し、そのレシピ情報をユーザに通知可能に構成され、
前記調理手順に前記冷蔵庫の切替室を用いた冷却調理を含む場合、
前記外部操作端末は、前記冷却調理を実施する前に前記通信手段を介して前記切替室の設定温度を所定の温度に変更させ、前記到達時間を示すデータを受信すると当該到達時間を考慮して前記調理手順を変更することを特徴とする調理システム。
【発明の詳細な説明】
【技術分野】
【０００１】
本発明は、室内の温度帯の設定を切替え可能な切替室を有する冷蔵庫、及びこの冷蔵庫を用いた調理システムに関する。
【背景技術】
【０００２】
従来から冷蔵庫には、冷凍室、冷蔵室、野菜室などの他に庫内温度を冷凍温度から野菜室相当の温度まで複数の温度帯に切替え可能な切替室を有するものがある。このような冷蔵庫は、切替室の温度を所要温度に切替えた場合、冷蔵室や冷凍室などと同様に、コンプレッサの回転数制御，弁による冷媒流量の調節，冷却ファンの回転数制御，ダンパによる室内へ流れ込む冷風の調節によって、切替室を設定された温度にするよう制御している。
【０００３】
この場合、設定された温度に達するまでにある程度の時間を要することになり、ユーザは、いつ設定温度に達したのかを自ら判断する必要があった。したがって、例えば、切替室を冷凍温度から野菜室相当の温度に切替えた場合、温度設定の変更後、直ちに切替室に野菜を入れてしまうと野菜を傷めてしまうおそれがあった。
このような問題を解消するために、特許文献１に開示されている冷蔵庫は、切替室内の温度を感知する切替室温度センサを設け、この切替室温度センサによって設定された切替温度に到達したことを感知すると、切替室が設定された温度に達した旨をユーザに報知するように構成されている。
【特許文献１】特開２００３−２４０４０９号公報
【発明の開示】
【発明が解決しようとする課題】
【０００４】
しかしながら、上記の冷蔵庫では、ユーザは、切替室が設定した温度に到達するまでに要する時間を知ることはできない。つまり、予め、切替室に食材を入れることが可能となる正確な時刻が判らないため、切替室を用いた冷却調理などを含む調理を行なう際に、その調理を効率的に実行できない場合があった。
【０００５】
本発明は上記事情を鑑みてなされたもので、その目的は、切替室の温度設定が変更された場合に設定温度に到達するまでに必要な時間をユーザに通知可能な冷蔵庫、及びこの冷蔵庫を用いた調理システムを提供することにある。
【課題を解決するための手段】
【０００６】
上記した目的を達成するために、請求項１記載の冷蔵庫は、室内の温度帯の設定を切替え可能な切替室を有する冷蔵庫において、前記切替室の温度を検知する温度センサを備え、前記切替室の設定温度が変更されると、前記温度センサによって検知された検知温度と変更後の設定温度とに基づいて、前記切替室の温度が当該設定温度に到達するまでに要する到達時間を推定する推定手段と、前記到達時間をユーザに通知するための通知手段とを備えることを特徴とする。
このように構成すれば、ユーザが、切替室の設定温度を変更すると、推定手段が、その設定温度に到達するまでに要する時間を推定し、通知手段によってユーザに通知される。したがって、ユーザは、切替室の温度が後どれ位で設定温度に達するのかを知ることができる。
【０００７】
また、請求項６記載の調理システムは、少なくとも請求項５記載の冷蔵庫及び外部操作端末を備え、前記外部操作端末は、調理手順を示すレシピ情報を外部より取得可能であるか、又は前記レシピ情報を保持し、そのレシピ情報をユーザに通知可能に構成され、前記調理手順に前記冷蔵庫の切替室を用いた冷却調理を含む場合、前記外部操作端末は、前記冷却調理を実施する前に前記通信手段を介して前記切替室の設定温度を所定の温度に変更させ、前記到達時間を示すデータを受信すると当該到達時間を考慮して前記調理手順を変更することを特徴とする。
したがって、ユーザは、外部操作端末により提示されたレシピ情報に基づいて切替室を用いた冷却調理を含む調理手順を実行する際に、その冷却調理が完了するまでの時間にその他の調理が実行可能である場合は、外部操作端末において変更され通知された手順の調理を先に実行することができる。
【発明の効果】
【０００８】
請求項１記載の冷蔵庫によれば、切替室の温度設定が変更された場合、切替室が設定温度に到達するまでに必要な時間を推定し、その時間をユーザに通知するようにしたので、ユーザは、予め、食材を入れることが可能となる正確な時刻を予測することができる。
【０００９】
また、請求項６記載の調理システムによれば、切替室を用いた冷却調理が含まれた調理を行なう場合、切替室が設定温度に到達するのに要する時間を考慮して、調理の手順を変更してユーザに通知するようにしたので、ユーザは、時間を無駄にすることなく効率良く調理することができる。
【発明を実施するための最良の形態】
【００１０】
（第１実施例）
以下、本発明の第１実施例について図１乃至図８を参照して説明する。図５は冷蔵庫の扉を省略した正面図、図６は縦断面図を示す。冷蔵庫本体１は、外箱と内箱との間に発泡断熱材を充填して断熱箱体２を形成し、内部には上方から冷蔵室３、野菜室４、そして製氷室５と温切替室６とを併設し、最下部に冷凍室７を配設している。
冷蔵室３及び野菜室４は、庫内温度が２〜４℃の冷蔵温度空間であることから、透明プラスチック製の仕切板によって区画され、冷凍貯蔵空間である他の貯蔵室５，６，７はそれぞれ断熱仕切壁によって区画されている。また、各室はそれぞれ独立した開閉扉を有している。
【００１１】
野菜室４の背面には冷蔵冷却室８を設け、内部には冷蔵用蒸発器９と冷蔵空間内に冷気を循環させるＲファン（冷蔵用ファン）１０とを設置しており、冷蔵冷却室８の側方には、冷蔵室３の背面下部に形成したＲ吸込口１１からのリターンダクト１２を配設して冷蔵冷却室８の下部と連通させている。
また、冷蔵冷却室８の上方には、野菜室４へ冷気を吹き出すＶ吹出口１３を設けると共に、野菜室４の下方には、室内の空気を冷蔵冷却室８に戻すＶ吸込口１４を設けている。そして、Ｖ吹出口１３の近傍には、その開口を開閉することで野菜室４への吹き出し冷気量を調整するＶ吸込口ダンパ１５が設けられている（図６参照）。また、Ｖ吸込口１４についても、その開口を開閉するＶ吹出口ダンパ１６が設けられている（図６参照）。
冷蔵室３の背面には、冷蔵冷却室８から冷蔵室の天井面に亙って背面・天井ダクト１７を設け（図６参照）、冷蔵室内の各棚上に冷気を吹き出す複数のＲ吹出口１８を穿設しており、室内を循環した冷気はＲ吸込口１１から前述したリターンダクト１２を介して、直接冷蔵室３の冷気を冷蔵冷却室８内の蒸発器９に戻すように構成している。
【００１２】
一方、製氷室５、切替室６、冷凍室７などの冷凍貯蔵空間は、前記各室の背面部に形成した冷凍冷却室１９内に配置した冷凍用蒸発器２０と冷凍空間内に冷気を循環させるＦファン（冷凍用ファン）２１の回転によって、各室内が設定した温度になるよう冷却制御している。
なお、冷凍用蒸発器２０の下部には、除霜ヒータ２２が設けられており、冷凍サイクル２３における圧縮機（コンプレッサ）２４の運転積算時間が所定時間、例えば、８時間に達すると、後述する冷凍運転モード終了後に除霜ヒータ２２に通電を行なう（図６参照）。そして、加熱による霜の融解が進んで冷凍用蒸発器２０の温度が上昇し、除霜温度センサ（図８に符号２５を付して示す）が除霜終了とみなす温度、例えば、３℃を検知した際には通電を終了させる。
【００１３】
切替室６には、冷凍冷却室１９に連通するＳ吹出口２６が設けられていると共に、リターンダクト２７を介して冷凍冷却室１９に連通するＳ吸込口２８が設けられている。そして、Ｓ吹出口２６及びＳ吸込口２８は、図５中で左右に並ぶように配置されており、これらは１つのＳダンパ（図８に符号２９を付して示す，切替室用ダンパ）によって同時に開閉されるようになっている。また、切替室６の底面部には、Ｓヒータ（図８に符号３０を付して示す，切替室底面ヒータ）が設けられている。
【００１４】
切替室６は、ユーザが、例えば、冷蔵室３の扉前面に設けられた操作盤（図８に符号３１を付して示す）に配置された入力キーを操作することにより、室内温度の設定を野菜室相当から冷凍室相当の温度帯まで変更できるようになっている。そして、ユーザによって現在設定されている温度帯よりも高い温度帯に変更された場合には、主にＳダンパ２９の開閉及びＳヒータ３０の運転を制御することで温度帯を変更する。一方、現在よりも低い温度帯に変更された場合には、主にＳダンパ２９の開閉及びＦファン２１の回転数を制御することによって温度帯を変更する。
【００１５】
図７は、冷凍サイクル装置２３の構成を示すものである。圧縮機２４の吐出側から順に凝縮器３２、三方弁３３を接続し、三方弁３３の一方側には冷蔵側毛細管３４、冷蔵用蒸発器９が直列となるように接続している。三方弁３３の他方側には、冷凍側毛細管３５、冷凍用蒸発器２０を直列に接続して、冷凍用蒸発器２０の出口側と圧縮機２４の吸込側とを接続するように構成している。また、冷蔵用蒸発器９の出口側は、冷凍側毛細管３５の出口側と冷凍用蒸発器２０の入口側との間に接続させている。
【００１６】
三方弁３３は、制御装置（図８に符号３６を付して示す）の信号によって冷媒の流れ方向を切り替え、冷蔵側蒸発器９側あるいは冷凍側蒸発器２０側に交互に冷媒を流して冷却するよう制御されており、冷蔵運転モードとして、三方弁３３により冷媒を冷蔵用蒸発器９側に流すようにすると、冷凍サイクルを流れる冷媒は、主に冷蔵用蒸発器９内で蒸発し、熱交換により低温化された冷気をＲファン１０で強制循環することによって、冷蔵貯蔵空間である冷蔵室３及び野菜室４を冷却する。
また、冷凍運転モードになると、冷媒は冷凍用蒸発器２０に直接導入されて低い蒸発温度で蒸発し、熱交換により−２０℃以下の低温となった冷気をＦファン２１で冷凍空間である冷凍室７や製氷室５あるいは切替室６に導入して強制循環させることによって、各室内を所定温度に冷却するように制御する。
【００１７】
図８は、制御系の構成を示す機能ブロック図である。制御装置（推定手段）３６は、切替室６及び冷凍室７に夫々配置され室内温度を検知する切替室温度センサ（温度センサ）３７及び冷凍室温度センサ３８から入力される夫々の値と設定された室内温度とを比較して、室内が設定温度になるように、圧縮機２４の運転及びＦファン２０の運転並びにＳダンパ２９の開閉などの制御を行なう。この際、制御回路３６は、モータ駆動回路３９を介してＦファン用モータ４０を駆動させてＦファン２０の運転を制御し、ダンパ用モータ４１を駆動させてＳダンパ２９の開閉を制御している。
そして、冷蔵室３及び野菜室４にも同様の温度センサ（図示せず）が夫々設けられており、制御回路３６は、上記と同様に、これらの温度センサからの入力値と設定された室内温度とを比較して、各室内の温度が設定温度になるように圧縮機２４の運転及びＲファン１０の運転の制御を行なう。
【００１８】
また、冷蔵運転モードと冷凍運転モードとの切り替えは、冷却中の各室内温度が所定温度に達するか、或いは冷却運転時間が所定時間に達するか、に基づいて行う。例えば、冷蔵室の温度センサの検知温度が０℃、冷凍室温度センサ３８の検知温度が−２０℃に達するか、或いは例えば冷蔵運転モードでは１５分〜２０分、冷凍運転モードでは３０分〜４０分に達すると、三方弁３３を動作させて他方の冷却運転モードに切替える。
【００１９】
また、制御装置３６は、前述した操作盤３１に配置された入力キーからの入力値に基づいて、切替室６の温度帯変更などの各種制御を行なう。そして、制御装置３６は、これらの制御に基づく各種情報を表示装置４２へ出力して表示させると共にスピーカ４３を介して音声として出力し、ユーザに対して制御の内容及び結果を通知したり、警告を行ったりする。なお、本実施例では、表示装置４２及びスピーカ４３が通知手段として機能する。
【００２０】
次に、本実施例の作用について図１乃至図４も参照して説明する。図１は、切替室６の温度帯設定を変更する際の制御装置３６の処理内容を示すフローチャートである。まず、切替室６の温度帯設定を冷蔵室相当から冷凍室相当に変更する場合、つまり、室内温度を下げる場合の処理について説明する。
【００２１】
ユーザが、切替室６を冷凍室相当の温度帯に変更するように操作盤３１に設けられた入力キーを操作すると、制御装置３６は、切替室６の温度帯の設定が変更されたと判断し（ステップＳ１：「ＹＥＳ」）、切替室温度センサ３７により検知される現在の切替室６内の温度と、設定変更後の目標とすべき温度とを確認する（ステップＳ２）。
この場合、切替室６内の温度を下げる変更であるので、この時点での室内温度は、目標温度よりも高い状態になっている（ステップＳ３：「ＹＥＳ」）。したがって、制御装置３６は、Ｓダンパ２９を開放させ（ステップＳ４）、切替室６への冷気の供給量を増やして温度を低下させる。
【００２２】
そして、制御装置３６は、圧縮機２４の運転状況及びＦファン２１の回転数を確認し（ステップＳ５，Ｓ６）、これらの情報をもとに目標温度までの推定到達時間を算出する（ステップＳ７）。切替室６の温度帯を目標温度まで変化させるために要する時間は、冷蔵庫の運転状況によって異なる。
ここで、図２（ａ）は、圧縮機２４の回転数（コンプ回転数）を３段階（３０Ｈｚ，４０Ｈｚ，６０Ｈｚ）で変化させ、また、Ｆファン２１の回転数（ファン回転数）も３段階（１０００ｒｐｍ，１３００ｒｐｍ，１５００ｒｐｍ）で変化させる場合に、これらの組み合わせによって決まる、室内温度を１℃下げるために必要な時間（単位温度の低下時間）の一例を示すデータテーブルである。例えば、圧縮機２４の回転数＝４０Ｈｚ，Ｆファン２１の回転数＝１３００ｒｐｍの場合、単位温度の低下時間は９０［秒／℃］となる。
ステップＳ７において、制御装置３６は、図２（ａ）に示すデータテーブルを参照し、現在の圧縮機２４の回転数及びＦファン２１の回転数に対応する単位温度の低下時間を求め、この値及び現在の温度と目標温度との差から推定到達時間を算出する。
【００２３】
次に、制御回路３６は、例えば図３に示すように、算出した推定到達時間を表示装置４２に表示させると共に、スピーカ４３から「設定温度まで１０分かかります。」という音声を出力させてユーザに推定到達時間を通知する（ステップＳ８）。そして、目標温度に到達するまでの時間計測を開始する（ステップＳ９）。
【００２４】
その後、ユーザによって、切替室６の温度帯設定が再度変更された場合（ステップＳ１０：「ＹＥＳ」）には、ステップＳ２へ戻って上記と同様の処理を行なう。温度帯の再変更がなく、ステップＳ９での時間計測開始から所定の時間、例えば、本実施例では１分が経過すると（ステップＳ１０：「ＮＯ」，ステップＳ１１：「ＹＥＳ」）、１分経過時点での推定温度と、切替室温度センサ３７により検知されるその時点での実際の温度とを比較する（ステップＳ１２）。
【００２５】
上記の比較を行なった結果、その差が±０．５°Ｃ以上あった場合（ステップＳ１３：「ＮＯ」）、推定温度と実際温度との差及び経過した時間から目標温度までの推定到達時間の補正を行なう（ステップＳ２０）。
図４は、時間の経過に伴う推定温度及び実際温度の変化の一例であり、（ａ）は温度を下げる場合、（ｂ）は温度を上げる場合を示す。推定到達時間の補正は一定時間毎に行なっており、図４に示すように、推定温度及び実際温度を直線で近似して、その直線の傾きの差から補正時間Δｔを算出する。そして、前回の推定到達時間であるｔｘ−１（１回目の補正の場合には、ステップＳ７で算出した最初の推定到達時間）に、この補正時間Δｔを加えたものが新たな推定到達時間ｔｘとなる。
【００２６】
次に、ステップＳ８と同様にして、補正された推定到達時間をユーザに通知する（ステップＳ２１）。そして、この後も上記と同様に、所定時間が経過する毎に推定温度と実際温度とを比較しながら目標温度に到達するまで処理を続ける（ステップＳ１０〜Ｓ１４）。なお、上記の処理中も、必要に応じて推定到達時間の補正を行なう（ステップＳ１３：「ＮＯ」，ステップＳ２０，Ｓ２１）。さらに、この間にユーザによって切替室６の温度帯が再び変更されれば（ステップＳ１０：「ＹＥＳ」）ステップＳ２へ戻り、前述した処理を再度実行する。
そして、切替室６が冷凍室相当の温度帯になって目標温度に到達すると（ステップＳ１４：「ＹＥＳ」）、Ｓヒータ３０の通電状況を確認する（ステップＳ１５）。この場合、温度を下げる変更のためＳヒータ３０は通電されていない（「ＮＯ」）のでステップＳ１６へ進み、表示装置４２に設定温度に到達した旨を表示させると共に、スピーカ４３から「設定温度になりました。」という音声を出力させてユーザに通知し、処理を終了する。
【００２７】
一方、切替室６の温度帯設定を冷凍室相当から冷蔵室相当に変更する場合、つまり、室内温度を上げる場合について説明する。
まず、切替室６の温度を下げる場合と同様にステップＳ１，Ｓ２を実行する。続くステップＳ３においては、この場合、切替室６内の温度を上げる変更であるから、この時点での室内温度は目標温度よりも低い状態になっている（「ＮＯ」）。したがって、制御装置３６は、Ｓダンパ２９を閉鎖させ（ステップＳ１７）、切替室６への冷気の供給を停止させる。
そして、目標温度と室内温度との差が１０°Ｃ以下の場合（ステップＳ１８：「ＮＯ」）には、この状態のままで室内温度を上昇させる。一方、両温度の差が１０°Ｃを超える場合（ステップＳ１８：「ＹＥＳ」）には、制御装置３６は、Ｓヒータ３０に通電させて（ステップＳ１９）、室内温度を迅速に上昇させるようにする。
【００２８】
次に、制御装置３６は、Ｓヒータ３０の通電状況をもとに目標温度までの推定到達時間を、図２（ｂ）のデータテーブルに基づいて算出する（ステップＳ７）。図２（ｂ）には、Ｓヒータ３０が通電状態（ヒータＯＮ），Ｓヒータ３０が非通電状態（ヒータＯＦＦ）の２種類の運転状態に対応した室内の温度を１℃上げるために要する時間が示されており、夫々３０秒／℃，１２０秒／℃となっている。
その後は、目標温度に到達するまで、温度を下げる場合と同様にステップＳ８〜ステップＳ１４を実行し、必要に応じて推定到達時間の補正を行なう（ステップＳ２０，Ｓ２１）。そして、目標温度に到達するとＳヒータへの通電を停止させ（ステップＳ１５：「ＹＥＳ」，ステップＳ２２）、目標温度に到達した旨をユーザに通知し（ステップＳ１６）、処理を終了する。
【００２９】
以上のように本実施例によれば、ユーザが切替室６の温度帯の設定を変更するための操作を行なうと、制御装置３６は、現在の切替室６内の温度及び設定変更後の目標温度とに基づいて目標温度に到達するまでに要する時間を推定し、この推定到達時間を表示装置４２に表示させると共にスピーカ４３を介して音声でユーザに通知するようにした。したがって、例えば、切替室６を調理中の食材の冷却に使用する場合などにおいて、ユーザは、後どれ位で切替室６へ食材を入れても良いかを予め知ることが可能となり、その時間を考慮して調理を行なうことができる。
【００３０】
また、特に、切替室６の温度を低下させ、冷蔵室相当から冷凍室相当の温度帯へ変更するような場合、制御装置３６は、圧縮機２４及びＦファン２１の回転数などの運転状態にも基づいて、目標温度までの到達時間を推定するようにした。したがって、到達時間の推定をより正確に行なうことができる。
【００３１】
さらに、制御装置３６は、推定到達時間を算出した後、所定時間が経過する毎にその時点での推定温度と実際の室内温度とを比較し、両温度の差が所定値以上ある場合には推定到達時間を補正するようにしたので、到達時間の推定を一層正確に行なうことができる。
【００３２】
また、例えば、切替室６を冷却調理などに使用する場合、制御装置３６は、切替室６が設定した温度帯になると直ちにその旨を表示装置４２に表示させると共にスピーカ４３を介して音声でユーザに通知するので、ユーザは、その後の調理を効率良く、スムーズに行なうことができる。
【００３３】
（第２実施例）
次に本発明の第２実施例について図９乃至図１２も参照して説明する。なお、図１乃至図８と同一の部分については同一符号を付して説明を省略し、以下異なる部分のみ説明する。図９は、本実施例に係る調理システム４４の全体構成を概略的に示すものである。図９に示すように、調理システム４４は、冷蔵庫４５と、この冷蔵庫４５との間で双方向の無線通信が可能な外部操作端末４６とから構成されている。
【００３４】
外部操作端末４６の制御回路４７は、マイクロコンピュータを主体としてＲＯＭ，ＲＡＭなどを含んで構成され、後述するレシピ情報の表示及び送受信の制御を行なうための制御プログラムが予め記憶されている。制御回路４７には、表示部４８，操作ボタン４９，音声出力部５０，記憶部５１，通信回路５２，外部ネットワーク通信部５３が接続されている。
外部操作端末４６は、外部ネットワーク通信部５３、インターネット５４を通じて調理情報提供サーバ５５にアクセスすることで、各種の調理手順を示すレシピ情報に関するデータをダウンロードし、取り込むことができるように構成されている。記憶部５１は、レシピ情報のデータなどを記憶するものである。また、外部操作端末４６は、通信回路５２を通じて冷蔵庫４５との間で双方向通信を行なうようになっており、本実施例では、例えばBluetooth（登録商標）による通信を行なう。
【００３５】
音声出力部５０は、例えば、冷蔵庫４５の各設定内容や、調理手順などを音声により案内する場合に用いるもので、これらの情報を音声として出力する。
図１０は外部操作端末４４の外観を示すもので、扁平な矩形容器状をなす本体ケース５６の前面に、冷蔵庫４５の設定内容及び各貯蔵室内の温度並びにレシピ情報などを表示する表示部４８が設けられている。また、本体ケース５６の前面のうち表示部４８の右側には、冷蔵庫４５の各種設定などを行なうための複数の操作ボタン４９が設けられている。
【００３６】
そして、図１１は、冷蔵庫４５の制御系の構成を示す機能ブロック図である。冷蔵庫４５の制御装置５７には、外部操作端末４６と通信を行なうための通信回路（通信手段）５８が接続されており、通信回路５８を介して外部操作端末４６と双方向通信を行なうことによって、切替室６の温度帯設定などの各種設定を外部から実行できるように構成されている。
【００３７】
次に、第２実施例の作用について図１２も参照して説明を行なう。ユーザが、外部操作端末４６を用いてレシピ情報を確認しながら調理を行なう場合、その調理手順に、例えば、切替室６を用いて食材の冷却を行なう手順が含まれていると、ユーザは、外部操作端末４６を操作して切替室６の温度帯の設定を変更する。このように外部操作端末４６を用いて切替室６の温度帯を変更する場合、冷蔵庫４５の制御装置５７は、ユーザへの通知を行なう処理（ステップＳ８，Ｓ１６，Ｓ２１）を除く部分については、図１に示すフローチャートと同様の処理を行なう。
【００３８】
図１２は、上記の変更を行なう際における冷蔵庫４５（制御装置５７）と外部操作端末４６との間で行なわれる処理の流れの一例を示すシーケンス図である。
まず、ユーザが外部操作端末４６の操作ボタン４９を、例えば、切替室６を冷蔵室相当から冷凍室相当の温度帯に変更するように操作すると、通信回路５２を介して切替室６の温度帯設定の変更を示すデータが送信される（Ａ１）。冷蔵庫４５の制御装置５７は、通信回路５８を介してこのデータを受信すると、切替室６の温度帯の設定が変更されたと判断し（ステップＳ１：「ＹＥＳ」）、ステップＳ２〜Ｓ７の処理を行ない、目標温度までの推定到達時間を算出する（Ａ２）。
【００３９】
続くステップＳ８で、制御装置５７は、通信回路５８を介して推定到達時間を示すデータを外部操作端末４６へ送信する（Ａ３）。外部操作端末４６は、このデータを受信すると、図１０（ａ）に示すように、表示部４８に切替室６の温度帯設定（設定：冷凍），現在温度（温度：−１３℃），推定到達時間（時間：残り５分）などを表示させて、ユーザへ通知する（Ａ４）
その後は、目標温度に到達するまで、第１実施例と同様にステップＳ９〜ステップＳ１４を実行し、必要に応じてステップＳ２０，Ｓ２１を実行して推定到達時間の補正を行なう（Ａ５，Ａ６）。なお、補正後の推定到達時間についても、上記したＡ３，Ａ４と同様にして外部操作端末４６を介してユーザへ通知する。
【００４０】
そして、目標温度に到達して温度帯の変更が完了する（Ａ７）と、制御装置５７は、Ｓヒータ３０への通電を確認した（ステップＳ１５：「ＮＯ」）後、通信回路５８を介して切替室６が目標温度に到達したことを示すデータを外部操作端末４６に送信する（Ａ８）。外部操作端末４６は、このデータを受信すると、図１０（ｂ）に示すように、表示部４８に「切替室が設定温度になりました」と表示させて、切替室６の温度帯が冷凍室相当になったことをユーザへ通知する（Ａ９）。
なお、第２実施例では、温度を低下させて切替室６を冷蔵室相当から冷凍室相当の温度帯に変更する場合の一例を挙げたが、温度を上昇させて切替室６を冷凍室相当から冷蔵室相当の温度帯に変更する場合についても同様に、外部操作端末４６によって変更することが可能である。
【００４１】
以上のように第２実施例によれば、ユーザが、外部操作端末４６を操作して切替室６の温度帯変更の指示を行なった場合、外部操作端末４６と制御装置５７との間で通信を行ない、制御装置５７は、切替室６の温度帯を変更するように冷蔵庫４５を運転させると共に、目標温度までの推定到達時間を算出して、このデータを外部操作端末４６へ送信する。すると、外部操作端末４６は、このデータを受信して表示部４８に推定到達時間を表示させて、ユーザに通知するようにした。
このようにすれば、ユーザは、外部操作端末４６を用いてレシピ情報を確認しながら調理を行なうときに、その調理手順に切替室６を用いた冷却調理がある場合には、外部操作端末４６を操作するだけで、切替室６の温度帯の変更を行なうことができる。また、レシピ情報からは得られない切替室６の温度変更が完了するまでの時間が表示部４８に表示されるので、この時間を参照して調理を適切に、且つスムーズに行なうことができる。
【００４２】
（第３実施例）
次に本発明の第３実施例について図１３乃至図１５も参照して説明する。なお、図１乃至図１２と同一の部分については同一符号を付して説明を省略し、以下異なる部分のみ説明する。
図９に示した調理システム４４においては、ユーザが、外部操作端末４６にレシピ情報を表示させて、そのレシピ情報に含まれている調理の手順を参照しながら調理を行なうことがある。このとき、調理手順に冷蔵庫４５の切替室６を用いた冷却調理などを含む場合、切替室６が設定された温度になるまで所定の待ち時間が必要になることがある。
【００４３】
そこで、第３実施例では、ユーザが、調理システム４４を用いて上記のような切替室６を使用する手順を含んだ調理を行なう場合、温度設定を変更するための待ち時間が発生すると調理システム４４側で調理手順の変更を行なう。図１３のシーケンス図は、第２実施例で示した図１２相当図であり、Ａ１の前にＢ１〜Ｂ３を、Ａ４とＡ９との間にＢ４〜Ｂ６の外部操作端末４６が行なう処理を追加したものである。
また、図１４は、切替室６を用いた調理を含む１つの料理を作る際の調理手順の一例であり、左側に変更前の手順、右側に時間効率を良くするために変更した手順を示し、その下側には手順変更前と手順変更後の夫々の調理時間を示す。なお、図１４において、手順３は、例えば切替室６に食材を入れて冷却する調理であり、手順４は切替室６とは関係なく先に行なうことが可能な調理となっている。
【００４４】
まず、図１３に示すように、ユーザが、外部操作端末４６の操作ボタン４９を操作して所望の料理を１つ選択する（Ｂ１）と、外部操作端末４６は、選択された料理のレシピ情報が記憶部５１に保存されているか否かを確認する。そして、レシピ情報が保存されている場合は記憶部５１からレシピ情報データを取得し、保存されていない場合は外部ネットワーク通信部５３，インターネット５４を介して調理情報提供サーバ５５からレシピ情報データを取得する（Ｂ２）。そして、外部操作端末４６は、取得したレシピ情報データに含まれる調理手順を表示部４８に表示させ（Ｂ３）、ユーザは、表示された調理手順を確認しながら、その手順にしたがって調理を開始する。
【００４５】
そして、手順１，２の調理を行なうと、続く手順３で切替室６を用いた冷却調理を行なうため、ユーザが切替室６をレシピ情報により指定された所定の温度帯に変更するように外部操作端末４６を操作する。すると、通信回路５２を介して切替室６の温度帯設定の変更を示すデータが送信される（Ａ１）。冷蔵庫４５の制御装置５７は、通信回路５８を介してこのデータを受信すると、切替室６を所定の温度帯へと変更させるように冷蔵庫４５の運転を制御する。また、目標温度までの推定到達時間を算出して外部操作端末４６へ送信する（Ａ２，Ａ３，Ａ５，Ａ６）。
【００４６】
外部操作端末４６は、この推定到達時間を示すデータを受信すると、推定到達時間を表示部４８に表示させる（Ａ４）と共にこの時間内に調理可能な手順を検索する（Ｂ４）。この場合、手順４が時間内に調理可能な手順に該当するため、外部操作端末４６は、切替室６の温度変更が完了するまでの間に、この手順４を実行するようにレシピ情報を変更する。つまり、図１４中右側に示すように、手順３と４とを入れ替えるように変更し（Ｂ５）、変更後の調理手順を表示部４８に表示させてユーザに通知する（Ｂ６）。
【００４７】
次に、ユーザが、調理システム４４を用いて複数の料理、例えば２種類の料理を作る場合、これら料理の調理手順のうち、何れかに切替室６を使用する調理が含まれているときに調理システム４４が調理手順を変更する処理について図１５も参照しながら説明する。
図１５は、一方に切替室６を用いた調理を含む２つの料理を作る際の夫々の調理手順であり、左側に切替室６を用いた調理を含む料理１の手順、右側に前記調理を含まない料理２の手順を示す。また、下側に手順を変更する前と変更した後夫々の調理時間を示す。なお、図１５において、料理１の手順３は、例えば切替室６に食材を入れて冷却する調理であり、料理２の手順１及び２は、切替室６とは関係なく先に行なうことが可能な調理となっている。
【００４８】
ユーザが、外部操作端末４６の操作ボタン４９を操作して所望の料理を２つ選択する（Ｂ１）と、前述した１つの料理を行なう場合と同様に、外部操作端末４６は、これら２つの料理のレシピ情報を取得して（Ｂ２）、その調理手順を表示部４８に表示させる（Ｂ３）。すると、ユーザは、表示された調理手順を確認しながら、その手順にしたがって調理を開始する。そして、料理１の手順１，２の調理が終了すると、続く手順３で切替室６を用いた冷却調理を行なうため、前述した１つの料理を作る場合と同様に、切替室６を所定の温度帯に変更する操作を行なう。
【００４９】
すると、制御装置５７と外部操作端末４６との間の通信により切替室６の温度変更が開始されると共に変更完了までの推定到達時間が表示部４８に表示される（Ａ１〜Ａ６）。そして、外部操作端末４６は、温度変更が完了するまでの間に行なうことが可能な調理を検索する（Ｂ４）。この場合、料理２の手順１及び２がこの調理可能な手順に該当するため、外部操作端末４６は、図１５中上側に示すように、料理１の手順１と２の間である切替室６の温度変更中に、この料理２の手順１及び２を実行するようにレシピ情報を変更し（Ｂ５）、変更後の調理手順を表示部４８に表示させてユーザに通知する（Ｂ６）。
【００５０】
以上のように第３実施例によれば、ユーザが、調理システム４４を用いて、外部操作端末４６に調理手順を表示させながら、冷蔵庫４５の切替室６を用いた調理が含まれた１つの料理を作る場合、外部操作端末４６は、切替室６の温度を変更している間に別の調理を行なうように調理の手順を入れ替えると、入れ替えた調理手順を表示部４８に表示させてユーザに通知するようにした。したがって、切替室６の温度変更のための待ち時間を有効に利用することができると共に、この料理を作るために必要な全体の時間を短縮できる。
また、冷蔵庫４５の切替室６を用いた調理が何れかに含まれた２つの料理を作る場合にも、上記と同様に、切替室６の温度変更の待ち時間に別の調理を行なうようにし、ユーザに通知するようにしたので、２つの料理を作る場合においても上記と同様の効果が得られる。
【００５１】
なお、本発明は上記し、且つ図面に記載した実施例にのみ限定されるものではなく、次のような変形又は拡張が可能である。
ステップＳ２０において、制御装置３６，５７は、推定した到達時間を補正するように構成したが、推定温度と実際温度との差があまり大きくない場合には、他の貯蔵室へ影響を及ぼさない範囲であれば圧縮機２４の回転数を上げるなど冷蔵庫の運転を制御して、最初に推定した到達時間内に切替室６の温度変更が完了するように制御しても良い。また、この推定到達時間を補正する機能は、制御装置３６，５７により推定される到達時間の精度によって必要に応じて設ければ良い。
【００５２】
外部操作端末４６は、専用の操作端末として構成したが、同様の機能を有していれば、ＰＤＡ（Personal Digital Assistants）や携帯電話機などの携帯情報端末で構成しても良く、また、通信機能を有するデジタルテレビなどであっても良い。
外部操作端末４６と冷蔵庫４５の制御装置５７との通信にBluetoothを用いた例を挙げたが、赤外線通信や無線ＬＡＮなどの無線通信を用いても良い。また、無線通信に限らず、ＬＡＮケーブルなどを接続して有線での通信を行なうようにしても良い。
外部操作端末４６は、表示部４８に推定到達時間などを表示させてユーザへ通知を行なうようにしたが、音声出力部５０を介して音声で通知を行なっても良い。
第３実施例において、調理システム４４を用いて何れかの手順に切替室６を使用する調理が含まれている２種類の料理を作る場合を例に挙げて説明したが、３種類以上の料理を作る場合であっても、同様にして調理手順を変更させることが可能である。
【図面の簡単な説明】
【００５３】
【図１】本発明の第１実施例を示すものであり、切替室の温度帯設定を変更する際の制御装置の処理内容を示すフローチャート
【図２】冷蔵庫の運転状況に基づく切替室内の単位温度変化時間の一例を示すデータテーブルであり、（ａ）は温度を上げる場合、（ｂ）は温度を下げる場合を示す図
【図３】ユーザへの通知内容を示す図
【図４】時間の経過に伴う推定温度及び実際温度の変化の一例であり、（ａ）は温度を下げる場合、（ｂ）は温度を上げる場合を示す図
【図５】冷蔵庫の扉を省略した正面図
【図６】冷蔵庫の縦断面図
【図７】冷凍サイクルの構成を示す図
【図８】制御系の構成を示す機能ブロック図
【図９】本発明の第２実施例であり、調理システムの全体構成を示す概略図
【図１０】外部操作端末の外観を示す図
【図１１】図８相当図
【図１２】冷蔵庫と外部操作端末との間で行なわれる処理の一例を示すシーケンス図
【図１３】本発明の第３実施例を示す図１２相当図
【図１４】切替室を用いた調理を含む１つの料理の調理手順の一例を示す図
【図１５】切替室を用いた調理を含む２つの料理の調理手順の一例を示す図
【符号の説明】
【００５４】
図面中、１，４５は冷蔵庫、６は切替室、２４は圧縮機（コンプレッサ）、３６，５７は制御装置（推定手段）、３７は切替室温度センサ（温度センサ）、４２は表示装置（通知手段）、４３はスピーカ（通知手段）、４４は調理システム、４６は外部操作端末、５８は通信回路（通信手段）を示す。
【図１】
2007139270.tif 000003
【図２】
2007139270.tif 000004
【図３】
2007139270.tif 000005
【図４】
2007139270.tif 000006
【図５】
2007139270.tif 000007
【図６】
2007139270.tif 000008
【図７】
2007139270.tif 000009
【図８】
2007139270.tif 000010
【図９】
2007139270.tif 000011
【図１０】
2007139270.tif 000012
【図１１】
2007139270.tif 000013
【図１２】
2007139270.tif 000014
【図１３】
2007139270.tif 000015
【図１４】
2007139270.tif 000016
【図１５】
2007139270.tif 000017